(57)【要約】【課題】  新たな使用方法によって的確に真贋判定が可能なホログラム積層体、セキュリティ媒体、及びホログラム積層体の使用方法を提供する。【解決手段】  ホログラム積層体１は、少なくとも予め定めた所定の角度からの入射光を予め定めた所定の角度へ出射する反射型体積ホログラム２と、反射型体積ホログラム２に少なくとも一部が積層される反射層３と、を備えることを特徴とする。【選択図】図１
2016143639.tif 000002
【特許請求の範囲】
【請求項１】
少なくとも予め定めた所定の角度からの入射光を予め定めた所定の角度へ出射する反射型体積ホログラムと、
前記反射型体積ホログラムに少なくとも一部が積層される反射層と、
を備えることを特徴とするホログラム積層体。
【請求項２】
前記反射型体積ホログラムと前記反射層との間に積層される散乱層を備える
ことを特徴とする請求項１に記載のホログラム積層体。
【請求項３】
前記反射型体積ホログラムは、絵柄を再生する絵柄部分及びそれ以外の非絵柄部分を有し、
前記非絵柄部分の反射率は、１０％以上である
ことを特徴とする
請求項１または請求項２に記載のホログラム積層体。
【請求項４】
前記反射型体積ホログラムは、絵柄を再生する絵柄部分及びそれ以外の非絵柄部分を有し、
前記絵柄部分と前記非絵柄部分のコントラスト(前記絵柄部分の輝度)／（前記非絵柄部分の輝度）は、１以上である
ことを特徴とする
請求項１乃至請求項３のいずれか１つに記載のホログラム積層体。
【請求項５】
請求項１乃至請求項４のいずれか１つに記載されたホログラム積層体と、
前記ホログラム積層体を接着する被着体と、
を備えることを特徴とするセキュリティ媒体。
【請求項６】
少なくとも予め定めた所定の角度からの入射光を予め定めた所定の角度へ出射する反射型体積ホログラムと、
前記反射型体積ホログラムに少なくとも一部が積層される反射層と、
を備えることを特徴とするホログラム積層体に対して、
前記反射型体積ホログラムの予め定めた入射方向から前記入射光を入射させ、前記入射光が入射する面側から出射光を観察し、
前記反射型体積ホログラムの予め定めた入射方向とは異なる方向から前記入射光を入射させ、前記入射光が入射する面側から出射光を観察する
ことを特徴とするホログラム積層体の使用方法。
【発明の詳細な説明】
【技術分野】
【０００１】
本発明は、物品等に貼付又は転写することで、物品の偽造を防止するホログラム積層体、セキュリティ媒体、及びホログラム積層体の使用方法に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、ホログラムを用いて、コピー機等による複製を防止する技術が開示されている。【０００３】
ホログラムは、干渉縞の記録形態によっていくつかの種類に分類することができるが、表面レリーフホログラムと体積ホログラムとが代表的である。ここで、表面レリーフホログラムは、ホログラム層の表面に微細な凹凸パターンが賦型されることによりホログラム像が記録されたものである。一方、上記体積ホログラムは光の干渉によって生じる干渉縞が、屈折率の異なる縞として厚み方向に三次元的に描画されることによってホログラム像が記録されたものである。このうち、上記体積ホログラムは材料内部の屈折率分布によってホログラム像が記録されたものであるため、上記表面レリーフホログラムに比べて複製することが困難であるという利点を有することから、有価証券やカード類の偽造防止手段としての用途が期待されている。【０００４】
特許文献１には、反射型体積ホログラムを透過観察可能とし、照明光源を観察側と反対側の背後に配置可能とし、通常とは異なる方法で使用することが記載されている。
【先行技術文献】
【特許文献】
【０００５】
【特許文献１】特許３５５２１６１号公報
【発明の概要】
【発明が解決しようとする課題】
【０００６】
特許文献１に開示された反射型体積ホログラムでは、真贋判定等に用いる場合の具体的な方法は記載されていない。【０００７】
本発明は、新たな使用方法によって的確に真贋判定が可能なホログラム積層体、セキュリティ媒体、及びホログラム積層体の使用方法を提供する。
【課題を解決するための手段】
【０００８】
上記目的を達成する本発明にかかるホログラム積層体は、
少なくとも予め定めた所定の角度からの入射光を予め定めた所定の角度へ出射する反射型体積ホログラムと、
前記反射型体積ホログラムに少なくとも一部が積層される反射層と、
を備えることを特徴とする。【０００９】
また、本発明にかかるホログラム積層体は、
前記反射型体積ホログラムと前記反射層との間に積層される散乱層を備える
ことを特徴とする。【００１０】
また、本発明にかかるホログラム積層体は、
前記反射型体積ホログラムは、絵柄を再生する絵柄部分及びそれ以外の非絵柄部分を有し、
前記非絵柄部分の反射率は、１０％以上である
ことを特徴とする。【００１１】
また、本発明にかかるホログラム積層体は、
前記反射型体積ホログラムは、絵柄を再生する絵柄部分及びそれ以外の非絵柄部分を有し、
前記絵柄部分と前記非絵柄部分のコントラスト(前記絵柄部分の輝度)／（前記非絵柄部分の輝度）は、１以上である
ことを特徴とする。【００１２】
また、本発明にかかるセキュリティ媒体は、
前記ホログラム積層体と、
前記ホログラム積層体を接着する被着体と、
を備えることを特徴とする。【００１３】
また、本発明にかかるホログラム積層体の使用方法は、
前記ホログラム積層体に対して、
前記反射型体積ホログラムの予め定めた入射方向から前記入射光を入射させ、前記入射光が入射する面側から出射光を観察する
ことを特徴とする。【００１４】
また、本発明にかかるホログラム積層体の使用方法は、
前記ホログラム積層体に対して、
前記入射光が入射する面を含む面内で１８０度回転させて前記入射光を入射させ、前記入射光が入射する面側から出射光を観察する
ことを特徴とする。
【発明の効果】
【００１５】
本発明のホログラム積層体、セキュリティ媒体、及びホログラム積層体の使用方法によれば、新たな使用方法によって的確に真贋判定が可能となる。
【図面の簡単な説明】
【００１６】
【図１】第１実施形態のホログラム積層体の正面図を示す。
【図２】図１のII-II線の断面図を示す。
【図３】第１実施形態のホログラム積層体の通常再生時の状態を示す。
【図４】第１実施形態のホログラム積層体の他の再生時の状態を示す。
【図５】第１実施形態のホログラム積層体に対して１つの入射光方向で再生光が観察される場合を示す。
【図６】第２実施形態のホログラム積層体の平面図を示す。
【図７】図６のVII-VII線の断面図を示す。
【図８】第２実施形態のホログラム積層体の通常再生時の状態を示す。
【図９】第２実施形態のホログラム積層体の他の再生時の状態を示す。
【図１０】実施例のホログラム積層体の輝度を測定するための光学測定系を示す。
【図１１】実施例の反射型体積ホログラムの絵柄部分の領域と非絵柄部分の領域を示す。
【発明を実施するための形態】
【００１７】
以下、図面を参照にして本発明にかかるホログラム積層体について説明する。なお、本明細書において用いる、形状や幾何学的条件並びにそれらの程度を特定する、例えば、「直交」、「同一」等の用語や角度や波長の値等については、厳密な意味に縛られることなく、同様の機能を期待し得る程度の範囲を含めて解釈することとする。
【００１８】
図１は、第１実施形態のホログラム積層体１の正面図を示す。図２は、図１のII-II線の断面図を示す。
【００１９】
第１実施形態のホログラム積層体１は、図１及び図２に示すように、反射型体積ホログラム２と、反射層３と、を備える。反射型体積ホログラム２の絵柄部分２１及び反射層３は、それぞれ少なくとも一部が重なるように配置される。なお、ホログラム積層体１の上辺を１ａ、下辺を１ｂとする。また、ホログラム積層体１の反射型体積ホログラム側の面を面２ａ、反射層３側の面を面３ａとする。
【００２０】
反射層３は、プラスチックフィルムなどの透明の基材にAlなどの金属蒸着したものや、プラスチックフィルムなどの透明の基材に反射性（または高輝性）のメタリックインキ（Alフレークインキ、銀インキ）などを印刷したものなどが好適に用いられる。また、反射型体積ホログラム２に直接、Alなどの金属蒸着を施してもよい。また、反射型体積ホログラム２に直接、反射性（または高輝性）のメタリックインキ（Alフレークインキ、銀インキ）などを印刷してもよい。反射層３は、一部が反射型体積ホログラム２の絵柄部分２１に重なっていればよく、パターニングされていてもよい。
【００２１】
第１実施形態のホログラム積層体１は、図２において面２ａの外側（反射型体積ホログラム２の外側）には、透明の他の材料が積層されていてもよい。また、面３ａの外側（反射層３の外側）には透明・不透明にかかわらず、他の層が積層されていてもよい。また、反射型体積ホログラム２と反射層３の間には、透明の他の材料（散乱性能はないものとする）が積層されていてもよい。
【００２２】
反射型体積ホログラム２は、従来からの反射型体積ホログラムでよく、図２に示すように、絵柄部分２１と非絵柄部分２２とを有する。絵柄部分２１は、所定の方向から再生照明光を入射すると所定の方向に再生光を射出する部分である。非絵柄部分２２は、絵柄部分と材料構成としては同一のものであって、材料内に屈折率の高低の差がある干渉縞が記録されていない部分である。反射層３は、反射型体積ホログラム２に積層される。
【００２３】
真贋判定される反射型体積ホログラム２は、透明であって、予め定めた所定の波長の物体光と参照光をホログラム記録用感光材料に予め定めた所定の入射角で入射させることで作製する。例えば、第１実施形態の反射型体積ホログラム２は、ホログラム記録用感光材料の表面に垂直な方向から波長λ＝５３２ｎｍの物体光を入射させ、裏面から波長λ＝５３２ｎｍの参照光を入射角４５°で入射させる。
【００２４】
このようにして記録した反射型体積ホログラム２は、作成時の参照光が向かう方向とは反対の方向の角度近傍より光を入射させると、物体光が入射してきた方向と反対の方向近傍へ、記録波長（λ＝５３２ｎｍ）近傍の波長の光を強く回折する。この場合、回折光の光量が最も強くなる光源の入射方向を、反射型体積ホログラム２の「予め設計された入射方向」と言う。また、その場合の回折光の回折方向を、反射型体積ホログラムの「予め設計された回折方向」と言う。
【００２５】
図３は、第１実施形態のホログラム積層体１の通常再生時の状態を示す。
【００２６】
第１実施形態のホログラム積層体１に再生照明光１１を入射する。再生照明光１１は、反射型体積ホログラム２を作製した時の予め設計された入射方向から入射させる。すると、反射型体積ホログラム２の絵柄部分２１で回折した再生光１２が反射型体積ホログラム２を作製した時の予め設計された回折方向に出射する。非絵柄部分２１では干渉縞がないため入射光は回折しない。従って所定の方向から、第１実施形態のホログラム積層体１を観察すると、絵柄部分２１は輝度が高く、非絵柄部分２２は輝度が低く、そのために、絵柄部分２１を容易に認識することができる。第１実施形態のホログラム積層体１では、一例として、図３に示すように、再生照明光１１を上方４５°傾斜した位置から第１面２ａに入射させると、再生光１２が第１面２ａの法線方向に出射するように設定した。
【００２７】
図４は、第１実施形態のホログラム積層体１の他の再生時の状態を示す。
【００２８】
次に、第１実施形態のホログラム積層体１の反射型体積ホログラム２の第１面２ａに入射光を下方４５°傾斜した位置から入射させる。すると、入射光１３は第２面２ｂを通過し、反射層３に反射して、反射光１４が生じる。その反射光１４は、反射型体積ホログラム２を作製した時の予め設計された入射方向とは逆の方向から反射型体積ホログラム２に入射することとなる。したがって、反射光１４に対して反射型体積ホログラム２で回折された回折光１５が第２面２ｂに向かって生じる。そして、回折光１５が反射層３に反射してホログラム積層体１の第１面２ａの法線方向から出射光１６が出射する。面２ａに入射光を下方４５°傾斜した位置から入射させた場合にも、非絵柄部分２１では干渉縞がないため入射光は回折しない。従って、面２ａに入射光を下方４５°傾斜した位置から入射させた場合に法線方向から面２ａを観察すると、絵柄部分２１は輝度が高く、非絵柄部分２２は輝度が低く、そのために、絵柄部分２１を認識することができる。
【００２９】
このように、第１実施形態のホログラム積層体１は、反射型体積ホログラム２に設定した角度以外の入射光１３に対して所定の方向に再生光を出射することが可能となる。すなわち、第１実施形態のホログラム積層体１は、体積ホログラムの入射面に対して、予め設定した角度の入射光とは方位角が１８０°異なり、仰角が同じになるよう、光を入射させると、予め設定した角度の光を入射した際と同じ角度から出射光を得ることができる。したがって、図３に示した通常の再生と図４に示した他の再生を行うことで、ホログラム積層体１の真贋を判定することが可能となる。なお、予め設定した入射方向が体積ホログラムの入射面に対して仰角４５°、回折方向が体積ホログラムの出射面に対して仰角９０°である場合を説明したが、入射方向、回折方向は任意に設定でき、この場合においても、上記の「他の再生」は可能である。
【００３０】
図５は、第１実施形態のホログラム構造体において、通常再生時の状態、他の再生時の状態を実現するための、具体的な観察方法を示す。図５（ａ）は、第１実施形態のホログラム積層体に対して１つの入射光方向で再生光が観察される場合を示す。また、図５（ｂ）は、光源と観察者の位置を変えずに、第１実施形態のホログラム積層体を１８０°回転した状態を示す。なお、図５では、上下がわかりやすいように、反射型体積ホログラム２の部分を星形に表している。
【００３１】
「図３に示した通常の再生と図４に示した他の再生を行うことでホログラム積層体１の真贋を判定することが可能」ということを言いかえると、図５（ａ）および図５（ｂ）に示すように、第１実施形態のホログラム積層体１は、１つの入射光方向で再生光が観察される場合に、光源と観察者の位置関係を変えずに、ホログラム積層体１を絵柄の天地が逆になるように180°回転させると、その場合でも天地が逆の再生像が観察されるということが可能となる。また、ホログラム積層体１の反射型体積ホログラム側の面を面２ａ、反射層３側の面を面３ａとする。
【００３２】
なお、図５においては、ホログラム積層体１を絵柄の天地が逆になるように回転させたが、これに限らず、本実施形態においては、通常再生時の状態に対して、ホログラム積層体１を第１面に平行な面内において１８０°回転させれば、他の再生時の状態を得ることができる。
【００３３】
図６は、第２実施形態のホログラム積層体１の平面図を示す。図７は、図６のVII-VII線の断面図を示す。
【００３４】
第２実施形態のホログラム積層体１は、図６に示すように、反射型体積ホログラム２と、反射層３と、散乱層４と、を備える。反射型体積ホログラムの絵柄部分２１、反射層３、及び散乱層４は、それぞれ少なくとも一部が重なるように配置される。なお、ホログラム積層体１の上辺を１ａ、下辺を１ｂとする。
【００３５】
第２実施形態のホログラム積層体１は、図２において面２ａの外側（反射型体積ホログラム２の外側）には、透明の他の材料が積層されていてもよい。また、面３ａの外側（反射層３の外側）には透明・不透明にかかわらず、他の層が積層されていてもよい。また、ホログラム積層体１と散乱層４の間には透明の他の材料が積層されていてもよい。また、散乱層４と反射層３の間には透明の他の材料が積層されていてもよい。
【００３６】
反射型体積ホログラム２は、従来からの反射型体積ホログラムでよく、図２に示すように、絵柄部分２１と非絵柄部分２２とを有する。絵柄部分２１は、所定の方向から再生照明光を入射すると所定の方向に再生光を射出する部分である。非絵柄部分２２は、絵柄部分と材料構成としては同一のものであって、材料内に屈折率の高低の差がある干渉縞が記録されていない部分である。散乱層４は、光を多方向に散乱させ、反射型体積ホログラム２と反射層３の間に積層されている。
【００３７】
散乱層４は、一部が反射型体積ホログラム２の絵柄部分２１と反射層３に重なっていればよく、パターニングされていてもよい。
【００３８】
散乱層４は、光を透過、散乱させる機能をもっていれば、材質に特段限定はない。反射層３の金属層の最表面層に微細でランダムな凹凸構造があるものであってもよく、その場合は散乱層４と反射層３の材料は同じ金属であって、反射層３は一様な部分で散乱層４は凹凸構造部分であって、この２つの層が連続的につながっている。
【００３９】
また、散乱層４の別な例として、透明な樹脂材料に有機微粒子、または無機微粒子を混ぜ合わせたものをコーティングにより積層させたものでも良い。また、散乱層４は光を透過、散乱する機能があれば、着色していても良い。
【００４０】
また、散乱層４の別な例として、反射層３の上に積層された透明な樹脂材料であって、微細でランダムな凹凸構造があるものであってもよい。
【００４１】
散乱層４があることで、非絵柄部分２２での光源の正反射率を低減することができ、非絵柄部分の正反射条件での眩しさを低減することができる。多くの場合、反射ホログラム２の予め設計された回折角が正反射条件とは異なるように設計することができるため、光源の正反射光が反射ホログラムの絵柄を視認する場合に邪魔にならないようにすることができるが、例えば印刷などの反射型ホログラム以外の絵柄要素などがセキュリティ媒体内に共存する場合には、光源の正反射光を低減させることで、それらの印刷絵柄要素などの視認性を上げることができる。
【００４２】
散乱層４の光を散乱させる度合いは光源の正反射率と関係があり、正反射率が高いほど、光を散乱させる能力は低く、正反射率が低いほど光を散乱させる能力が高い。防眩といった意味では、光を散乱させる能力は高い方が望ましく、正反射率が低い方が望ましいが、正反射率１０％未満では光が散乱しすぎてしまい、１８０度絵柄を反転させた場合、ホログラムの天地逆の絵柄を観察することはできなくなる。そのため、非絵柄部分２２の正反射率は１０％以上であることが好ましい。非絵柄部分２２の正反射率が１０％以上であれば、１８０度反転したホログラムの絵柄部分２１の輝度が非絵柄部分２２の輝度に対して、その比が１以上となって輝度計などの計器を用いれば１８０度反転したホログラムの絵柄を観察することができる。また、より望ましくは非絵柄部分２２の正反射率は２０％以上であることが好ましい。非絵柄部分２２の正反射率が２０％以上であれば、１８０度反転したホログラムの絵柄部分２１の輝度が非絵柄部分２２の輝度に対して、その比が２以上となって目視で明確に１８０度反転したホログラムの絵柄を認識することができる。
【００４３】
図８は、第２実施形態のホログラム積層体１の通常再生時の状態を示す。
【００４４】
第２実施形態のホログラム積層体１に再生照明光１１を入射する。再生照明光１１は、反射型体積ホログラム２を作製した時の予め設計された入射方向から入射させる。すると、反射型体積ホログラム２で回折した再生光１２が反射型体積ホログラム２を作製した時の予め設計された回折方向に出射する。非絵柄部分２１では干渉縞がないため入射光は回折しない。従って所定の方向から、第１実施形態のホログラム積層体を観察すると、絵柄部分２１は輝度が高く、非絵柄部分２２は輝度が低く、そのために、絵柄部分２１を容易に認識することができる。第２実施形態のホログラム積層体１では、一例として、図８に示すように、再生照明光１１を上方４５°傾斜した位置から第１面２ａに入射させると、再生光１２が第１面２ａの法線方向に出射するように設定した。
【００４５】
図９は、第２実施形態のホログラム積層体１の他の再生時の状態を示す。
【００４６】
次に、第２実施形態のホログラム積層体１の反射型体積ホログラム２の第１面２ａから入射する。すると、入射光１３が散乱層４で散乱し、反射層３に反射して反射光１４が生じる。なお、散乱層４を通過した光は様々な方向に出射し、それぞれ反射する。反射した光のうち、反射型体積ホログラム２の作製した時の参照光の方向に反射した反射光１４に対して反射型体積ホログラム２で回折された回折光１５が生じる。そして、回折光１５は、散乱層４で散乱し、反射層３に反射してホログラム積層体１の第１面２ａから出射光１６が出射する。面２ａに入射光を下方４５°傾斜した位置から入射させた場合にも、非絵柄部分２１では干渉縞がないため入射光は回折しない。従って、面２ａに入射光を下方４５°傾斜した位置から入射させた場合に法線方向から面２ａを観察すると、絵柄部分２１は輝度が高く、非絵柄部分２２は輝度が低く、そのために、絵柄部分２１を認識することができる。
【００４７】
このように、第２実施形態のホログラム積層体１は、散乱層４を用いることで、反射型体積ホログラム２に設定した角度以外の入射光に対して様々な方向に再生光を出射することが可能となる。すなわち、図５（ａ）および図５（ｂ）に示したように、第２実施形態のホログラム積層体１は、１つの入射光方向で再生光が観察される場合に、光源と観察者の位置関係を変えずに、ホログラム積層体１を絵柄の天地が逆になるように180°回転させると、その場合でも天地が逆の再生像が観察されるということが可能となる。したがって、図８に示した通常の再生と図９に示した他の再生を行うことで、ホログラム積層体１の真贋を判定することが可能となる。
【００４８】
上記の説明においては、一例として、予め設定した入射方向が体積ホログラムの入射面に対して仰角４５°、回折方向が体積ホログラムの出射面に対して仰角９０°である場合を説明したが、入射方向、回折方向は任意に設定でき、この場合においても、本実施形態の効果を得ることができる。
【００４９】
次に、本実施形態の実施例について説明する。
【００５０】
図１０は、実施例のホログラム積層体１の輝度を測定するための光学測定系を示す。図１１は、実施例の反射型体積ホログラム２の絵柄部分２１の領域と非絵柄部分２２の領域を示す。
【００５１】
実施例１のホログラム積層体１は、ＰＥＴフィルム（東レ株式会社製、ルミラー（登録商標）Ｔ−６０、厚み２５μｍ）（基材フィルム）上に体積ホログラム記録材料を乾燥膜厚１０μｍとなるようにグラビアコートにて塗工し、塗工面にＰＥＴフィルム（東セロ株式会社、「ＳＰ−ＰＥＴ」、厚み５０μｍ）（離型フィルム）をラミネートし、第１の積層体（離型フィルム／体積ホログラム層／基材フィルム）を作製した。そして、第１の積層体に５３２ｎｍの波長レーザー光を用いて反射型体積ホログラムを記録し、５３０ｎｍに回折中心波長を有する絵柄をもつ、体積ホログラムフィルムを得た。１００℃、１０分間加熱した後、高圧水銀灯を利用して２５００ｍＪ／ｃｍ2の照射量で反射型体積ホログラム２を定着処理した後、離型フィルムを剥離し、体積ホログラム層／基材フィルムの層構成を得た。その後、基材フィルム面にアルミを５００Å蒸着し、基材フィルムを反射性基材として反射型体積ホログラム２／反射性基材（反射層３）の積層構成のホログラム積層体１を得た。
【００５２】
なお、体積ホログラム記録材料は、以下の処方で調整される。
・エポキシ基含有アクリル樹脂；ブレンマーＣＰ−５０Ｍ（日本油脂（株）製）（質量平均分子量１０，０００、エポキシ当量３１０ｇ／ｅｑ．）：１７質量部
・ポリ酢酸ビニル；デンカサクノールＳＮ−０８Ｈ（電気化学工業（株）製）（重合度８００）：１７質量部
・１，６−ヘキサンジオールジグリシジルエーテル（デナコールＥＸ−２１２；ナガセケムテックス（株）製）：２５質量部
・ジフェノキシエタノールフルオレンジアクリレート（ＢＰＥＦＡ；大阪ガスケミカル（株）製）：３５質量部
・ジアリールヨードニウム塩（ＰＩ２０７４；ローディア製）：４質量部
・２，５−ビス（４−ジエチルアミノベンジリデン）シクロペンタノン：１質量部
・メチルイソブチルケトン：１００質量部
・１−ブタノール：１００質量部
【００５３】
得られたホログラム積層体１は、図５に示すように、予め設計された観察位置においても、そこから入射面内に１８０度反転させた場合にホログラムが視認できた。すなわち、ホログラム積層体１の上下を逆に回転させてもホログラムを視認することが可能となる。
【００５４】
ここで、得られた体積型ホログラム積層体１の非絵柄部分２２の反射率を分光光度計（（株）島津製作所社製、ＵＶ−２４５０）を用いて測定した。 入射角度は４５度とした場合の絵柄のない部分（図１１の２２ａ部分）の正反射率を測定したところ、波長５３０ｎｍで７２％であった。
【００５５】
次に、得られた体積型ホログラム積層体１に、図４、図５（ｂ）、および図９に示すように、光の入射方向が絵柄の「地」側（１ｂ側）より入射させた場合の輝度を測定した。このとき、光の入射を行うための装置として、キセノン光源（朝日分光社製；ＭＡＸ−３０１）を用い、反射光の輝度を測定するための装置として、反射光を感知する採光レンズを備える色彩輝度計（トプコン社製；ＢＭ−７）を用いた。
【００５６】
輝度を測定するための光学測定系は、図１０に示すとおりである。この光学測定系は、キセノン光源５１から照射される光の進行方向（図１０において、矢印Ｌ）と色彩輝度計５２の採光レンズの厚み方向（図１０中、直線Ｙの延びる方向に沿った方向）のなす角度（鋭角側の角度θ）が４５度となるように、キセノン光源５１と色彩輝度計５２を配置し、採光レンズの厚み方向の延長線上の位置であってキセノン光源５１から光を入射される位置にホログラム積層体１を配置してなる。このときホログラム積層体１は、そのホログラム層側の面２ａをキセノン光源５１と色彩輝度計５２に向けるように配置されている。また、図４、図５（ｂ）、および図９に示すのと同様に、光の入射方向が絵柄の「地」側（１ｂ側）より入射するように配置されている。
【００５７】
輝度の測定にあたっては、ホログラム積層体１を様々な角度（回転角度ψ；直線Ｙに直交する直線Ｘと積層構造体面のなす角度）に傾け、色彩輝度計５２の採光レンズの位置からホログラム積層体１を見た場合に最も反射型体積ホログラム２に記録された絵柄が明るく見える位置にて測定を行った。輝度の測定には、図１１のように、絵柄部分２１（ホログラム画像が明るく光って見える絵柄の部分）の領域と非絵柄部分２２（ホログラム画像がなく、ホログラム層の下の層が見える部分）の領域より２箇所を測定スポット（図１１中、破線で区画された領域２１ａ，２２ａ）として選択して、それぞれの測定スポットとなる領域２１ａ，２２ａについての輝度を測定した。なお、領域２１ａ、領域２２ａともに、反射型体積ホログラム２に反射層３が積層された部分である。絵柄部分２１の輝度は５２０９ｃｄ／ｍ２であり、非絵柄部分２２の輝度は６６．１５ｃｄ／ｍ２であった。
【００５８】
ホログラム積層体１に、図４、図５（ｂ）、および図９に示すように、光の入射方向が絵柄の「地」側（１ｂ側）より入射させた場合におけるホログラム画像のコントラストは、以下の表１に示すとおり、７８．７であった。ここで、コントラストは、（絵柄部分の輝度）を（絵柄のない部分の輝度）で除算した値を示す。
【００５９】
実施例２のホログラム積層体１は、実施例１において反射型ホログラム２を定着させた後に離型フィルムを剥離し、体積ホログラム層／基材フィルムの層構成を得たあと、基材フィルム面にアルミを蒸着する前に、基材フィルム面上に、散乱を強める散乱層４を設けた以外は、実施例と同様に準備した。つまり、以下の組成からなる組成物を基材フィルム上に１μｍの厚みで塗布し、散乱層４とした。
【００６０】
散乱層４の材料は、以下の通りである。
・酸化チタン顔料インキ（ＤＩＣグラフィックス(株)製 パナシアＣＶＬ−ＳＰ７０９白）：５質量部
・透明樹脂・ポリメチルメタクリレート（重量平均分子量１００，０００）：９５質量部
・溶剤(メチルエチルケトン)：１５０質量部
【００６１】
散乱を強める層（散乱層４）を設けた面にさらにアルミの層を５００Å蒸着にてさせたのは、実施例１と同様である。非絵柄部分２２の反射率および、光の入射方向が絵柄の「地」側（１ｂ側）より入射させた場合の絵柄部分２１の輝度と非絵柄部分２２の輝度のコントラストを表１中に示した。なお、輝度の測定スポットとなる領域２１ａ，２２ａについてはともに、反射型体積ホログラム２に散乱層４と反射層３が積層された部分であった。
【００６２】
実施例３のホログラム積層体１は、上記実施例２の散乱層４の材料を以下のものにした以外は同様に実施した。
・酸化チタン顔料インキ（ＤＩＣグラフィックス(株)製 パナシアＣＶＬ−ＳＰ７０９白）：１０質量部
・透明樹脂・ポリメチルメタクリレート（重量平均分子量１００，０００）：９０質量部
・溶剤(メチルエチルケトン)：１５０質量部
【００６３】
実施例４のホログラム積層体１は、上記実施例２の散乱層４の材料を以下のものにした以外は同様に実施した。
・酸化チタン顔料インキ（ＤＩＣグラフィックス(株)製 パナシアＣＶＬ−ＳＰ７０９白）：１５質量部
・透明樹脂・ポリメチルメタクリレート（重量平均分子量１００，０００）：８５質量部
・溶剤(メチルエチルケトン)：１５０質量部
【００６４】
実施例５のホログラム積層体１は、上記実施例２の散乱層４の材料を以下のものにした以外は同様に実施した。
・酸化チタン顔料インキ（ＤＩＣグラフィックス(株)製 パナシアＣＶＬ−ＳＰ７０９白）：２０質量部
・透明樹脂・ポリメチルメタクリレート（重量平均分子量１００，０００）：８０質量部
・溶剤(メチルエチルケトン)：１５０質量部
【００６５】
実施例６のホログラム積層体１は、上記実施例２の散乱を強める層の材料を以下のものにした以外は同様に実施した。
・酸化チタン顔料インキ（ＤＩＣグラフィックス(株)製 パナシアＣＶＬ−ＳＰ７０９白）：３０質量部
・透明樹脂・ポリメチルメタクリレート（重量平均分子量１００，０００）：７０質量部
・溶剤(メチルエチルケトン)：１５０質量部
【００６６】
次に、比較例について説明する。
【００６７】
比較例１のホログラム積層体１は、上記実施例１でアルミの蒸着を行わなかった以外は同様に実施した。アルミの蒸着を行わなかったので、輝度の測定スポットとなる領域２１ａ，２２ａについてはともに、反射型体積ホログラム２に反射層は積層されていない。散乱層も設けていないため、領域２１ａ，２２ａについてはともに散乱層は積層されている部分であった。
【００６８】
比較例２のホログラム積層体１は、体積型ホログラム２を上記実施例１でアルミの蒸着を行わなかった代わりに、透明の接着剤を用いて白紙の上質紙（散乱層４）と積層した。アルミの蒸着を行わなかったので、輝度の測定スポットとなる領域２１ａ，２２ａについてはともに、反射型体積ホログラム２に反射層は積層されていない。上質紙と積層しているため、領域２１ａ，２２ａについてはともに散乱層４は積層されていない。
【００６９】
比較例３のホログラム積層体１は、上記実施例２の散乱層４の材料を以下のものにした以外は同様に実施した。
・酸化チタン顔料インキ（ＤＩＣグラフィックス(株)製 パナシアＣＶＬ−ＳＰ７０９白）：５０質量部
・透明樹脂・ポリメチルメタクリレート（重量平均分子量１００，０００）：７０質量部
・溶剤(メチルエチルケトン)：１５０質量部
【００７０】
以下に表１を示す。なお、表中、◎は目視で明確に絵柄を視認できることを示し、○は輝度計で測定して差が認識できることを示し、×は視認が困難な場合を示す。
【表１】
2016143639.tif 000003
【００７１】
表１に示すように、本実施形態のホログラム積層体１は、絵柄部分２１の輝度と非絵柄部分２２の輝度のコントラストが１より大きく、入射面内で１８０度回転させたとしても、ホログラムの絵柄を観察することが可能である。
【００７２】
すなわち、本実施形態のホログラム積層体１は、反射型体積ホログラム２に設定した角度以外の入射光に対して再生光を出射することが可能である。
【００７３】
なお、ホログラム積層体１は、カード等の被着体の少なくとも一部に接着され、セキュリティ媒体を構成する。
【００７４】
以上、本実施形態のホログラム積層体１は、少なくとも予め定めた所定の角度からの入射光を予め定めた所定の角度へ出射する反射型体積ホログラム２と、反射型体積ホログラム２に少なくとも一部が積層される反射層３と、を備えるので、新たな使用方法によって的確に真贋判定が可能となる。
【００７５】
また、本実施形態のホログラム積層体１は、反射型体積ホログラム２と反射層３との間に積層される散乱層４を備えるので、さらに新たな使用方法によって的確に真贋判定が可能となる。
【００７６】
また、本実施形態のホログラム積層体１では、反射型体積ホログラム２は、絵柄を再生する絵柄部分２１及びそれ以外の非絵柄部分２２を有し、非絵柄部分２２の反射率は、１０％以上であるので、より的確に真贋判定が可能となる。
【００７７】
また、本実施形態のホログラム積層体１では、反射型体積ホログラム２は、絵柄を再生する絵柄部分２１及びそれ以外の非絵柄部分２２を有し、絵柄部分２１と非絵柄部分２２のコントラスト(前記絵柄部分の輝度)／（前記非絵柄部分の輝度）は、１以上であるので、より的確に真贋判定が可能となる。
【００７８】
また、本実施形態のセキュリティ媒体は、ホログラム積層体１と、ホログラム積層体１を接着する被着体と、を備えるので、新たな使用方法によって的確に真贋判定が可能となる。
【００７９】
また、本実施形態のホログラム積層体１の使用方法は、ホログラム積層体１に対して、反射型体積ホログラム２の予め定めた入射方向から入射光を入射させ、入射光が入射する面側から出射光を観察するので、新たな使用方法によって的確に真贋判定が可能となる。
【００８０】
また、本実施形態のホログラム積層体１の使用方法は、ホログラム積層体１に対して、入射光が入射する面を含む面内で１８０度回転させて入射光を入射させ、入射光が入射する面側から出射光を観察するので、新たな使用方法によって的確に真贋判定が可能となる。
【００８１】
なお、ホログラム積層体、セキュリティ媒体、及びホログラム積層体の使用方法をいくつかの実施形態に基づいて説明してきたが、本発明はこれら実施形態に限定されず種々の組み合わせ又は変形が可能である。
【符号の説明】
【００８２】
１…ホログラム積層体
１ａ…上辺
１ｂ…下辺
２…体積型ホログラム
２１…絵柄部分
２２…非絵柄部分
２ａ…第１面
２ｂ…第２面
３…反射層
４…散乱層
５１…キセノン光源
５２…色彩輝度計
【図１】
2016143639.tif 000004
【図２】
2016143639.tif 000005
【図３】
2016143639.tif 000006
【図４】
2016143639.tif 000007
【図５】
2016143639.tif 000008
【図６】
2016143639.tif 000009
【図７】
2016143639.tif 000010
【図８】
2016143639.tif 000011
【図９】
2016143639.tif 000012
【図１０】
2016143639.tif 000013
【図１１】
2016143639.tif 000014
【国際調査報告】
2016143639.tif 000015
2016143639.tif 000016
2016143639.tif 000017
2016143639.tif 000018